(57)【特許請求の範囲】
【請求項１】
装置本体には、コイン挿入口とコイン排出口を備えたコイン通路と、コイン排出口を開閉する方向に回動可能なシャッター部材と、シャッター部材をコイン排出口の閉じる方向に付勢する弾性部材と、シャッター部材をコイン排出口を閉じた状態で回動不能に保持する保持手段とが設けられ、
シャッター部材には、コイン通路に突出し、コイン挿入口から挿入されるコインが当接する解除手段が設けられ、
シャッター部材は、コイン挿入口から挿入されるコインが前記解除手段に当接することにより、前記保持手段による保持が解除されて回動可能となっており、
さらにシャッター部材は、回動中心線上に沿って移動可能であり、前記弾性部材によってコイン排出口を閉じる方向と、回動中心線上の一方向に付勢され、前記保持手段は、前記シャッター部材が当該回動中心線上の一方向に移動させられた状態のとき、当該シャッター部材を回動不能に保持し、
シャッター部材は、コイン挿入口から挿入されるコインが前記解除手段に当接することにより、弾性部材の弾性に抗して回動中心線上の他方向に移動し、保持手段による保持が解除されて回動可能となることを特徴とするコイン挿入装置。
【請求項２】
シャッター部材は、コイン排出口を開閉する開閉板と、前記解除手段を有し、
解除手段は、コイン挿入口から挿入されるコインが開閉板に当接する前に当接するようになっていることを特徴とする請求項１記載のコイン挿入装置。
【発明の詳細な説明】
【技術分野】
本願発明は、コイン挿入口とコイン排出口を備えたコイン通路と、コイン排出口を開閉するシャッター部材とを有するコイン挿入装置に関する。
【背景技術】
従来、コイン挿入装置は、例えば、特開２００２−２７９４８２号公報（特許文献１）に開示されているように、コイン挿入口とコイン排出口を備えたコイン通路と、コイン排出口を開閉するシャッター部材とを有する。シャッター部材は、回動自在に設けられ、駆動モータ等の電気的駆動源を備えた回動機構により、強制的に回動せしめられるようになっている。コイン投入前においては、コイン通路がシャッター部材によって塞がれており、コイン投入時には回動機構によりシャッター部材が回動して、コイン通路が開放されるようになっている。
従来、コイン挿入装置は、電気的駆動源を備えた回動機構によりシャッター部材を回動して、コイン通路を開閉するため、電気が必要であり、店の前に置かれるカプセル払い出し機の如き、電気を使用しない自動販売機には取り付けることができないという問題点があった。また、シャッター部材の回動を電気的に処理して行うため、構造が複雑であり、安価に製造することができないという問題点があった。
本願発明は、上記問題点に鑑み案出したものであって、構造が簡単で安価に製造することができ、電気を使用しない自動販売機等に取り付けることができる、シャッター部材を備えたコイン挿入装置を提供することを目的とする。
【発明の開示】
本願請求項１に係るコイン挿入装置は、上記目的を達成するため、装置本体には、コイン挿入口とコイン排出口を備えたコイン通路と、コイン排出口を開閉する方向に回動可能なシャッター部材と、シャッター部材をコイン排出口の閉じる方向に付勢する弾性部材と、シャッター部材をコイン排出口を閉じた状態で回動不能に保持する保持手段とが設けられ、シャッター部材には、コイン通路に突出し、コイン挿入口から挿入されるコインが当接する解除手段が設けられ、シャッター部材は、コイン挿入口から挿入されるコインが前記解除手段に当接することにより、前記保持手段による保持が解除されて回動可能となっており、さらにシャッター部材は、回動中心線上に沿って移動可能であり、前記弾性部材によってコイン排出口を閉じる方向と、回動中心線上の一方向に付勢され、前記保持手段は、前記シャッター部材が当該回動中心線上の一方向に移動させられた状態のとき、当該シャッター部材を回動不能に保持し、シャッター部材は、コイン挿入口から挿入されるコインが前記解除手段に当接することにより、弾性部材の弾性に抗して回動中心線上の他方向に移動し、保持手段による保持が解除されて回動可能となる。
本願請求項２に係るコイン挿入装置は、上記目的を達成するため、シャッター部材は、コイン排出口を開閉する開閉板と、前記解除手段を有し、解除手段は、コイン挿入口から挿入されるコインが開閉板に当接する前に当接するようになっている。
【図面の簡単な説明】
図１は、本願発明に係るコイン挿入装置の一つの実施の形態を示す前部上方から視た全体斜視図である。図２は、図１のコイン挿入装置の後部上方から視た全体斜視図である。図３は、図１のコイン挿入装置の後部下方から視た全体斜視図である。図４は、図１のコイン挿入装置の後部上方から視た分解斜視図である。図５は、図１のコイン挿入装置の側面断面図である。図６は、図１のコイン挿入装置の動きを説明する前部上方から視た全体斜視図である。図７は、図３のコイン挿入装置の動きを説明する後部下方から視た全体斜視図である。図８は、図３のコイン挿入装置の動きを説明する後部下方から視た全体斜視図である。
【発明を実施するための最良の形態】
本願発明の実施の形態を図１乃至図８に基づいて説明する。図１は、本願発明に係るコイン挿入装置の一つの実施の形態を示す前部上方から視た全体斜視図である。図２は、図１のコイン挿入装置の後部上方から視た全体斜視図である。図３は、図１のコイン挿入装置の後部下方から視た全体斜視図である。図４は、図１のコイン挿入装置の後部上方から視た分解斜視図である。図５は、図１のコイン挿入装置の側面断面図である。図６は、図１のコイン挿入装置の動きを説明する前部上方から視た全体斜視図である。図７，８は、図３のコイン挿入装置の動きを説明する後部下方から視た全体斜視図である。
コイン挿入装置１の装置本体２には、コイン挿入口１０とコイン排出口１１を備えたコイン通路１２と、コイン排出口１１を開閉する方向に回動可能なシャッター部材３０と、シャッター部材３０をコイン排出口１２の閉じる方向に付勢する弾性部材５２と、シャッター部材３０をコイン排出口１１を閉じた状態で回動不能に保持する保持手段５６とが設けられている。
シャッター部材３０には、コイン通路１２に突出し、コイン挿入口１０から挿入されるコインＣが当接する解除手段４０が設けられている。シャッター部材３０は、コイン挿入口１０から挿入されるコインＣが前記解除手段４０に当接することにより、前記保持手段５６による保持が解除されて回動可能（開閉自在）となり、コインＣによりシャッター部材３０が押圧されてコイン排出口１１を開くことができるようになっている。
シャッター部材３０は、回動中心線上に沿って移動可能であり、前記弾性部材５２によってコイン排出口１１を閉じる方向と、回動中心線上の一方向（図３のＸ方向）に付勢され、当該回動中心線上の一方向に付勢された状態のとき保持手段５６により回動不能に保持されている。シャッター部材３０は、コイン挿入口１０から挿入されるコインＣが前記解除手段４０に当接することにより、弾性部材５２の弾性に抗して回動中心線上の他方向（図７のＹ方向）に移動し、保持手段５６による保持が解除されて回動可能となり、コインＣによりシャッター部材３０が押圧されてコイン排出口１１を開くことができるようになっている。
シャッター部材３０は、コイン排出口１１を開閉する開閉板３１と、前記解除手段４０を有し、解除手段４０は、コイン挿入口１０から挿入されるコインＣが開閉板３１に当接する前に当接するようになっている。
さらにコイン挿入装置について詳細に説明する。コイン挿入装置１の装置本体２は、円筒形の基部３と、基部３の後部に設けられた環状部５とからなる。基部３は、円形の正面６を有し、正面６には内側に向かって緩やかな曲線を描いた凹部７が形成されている。基部３の正面６には、正面６を横切る方向に形成された略長方形状のコイン挿入口１０が形成され、基部３の背面８には、前記コイン挿入口１０と同形状のコイン排出口１１が形成されている。基部３には、コイン挿入口１０とコイン排出口１１を屈曲することなく連通するコイン通路１２が形成されている。
基部３の周面９上部には、基部３の長手方向に延びる溝１３が形成されており、当該溝１３はコイン通路１２へと貫通している。溝１３は、周面９からコイン通路１２の方向に延設された側面部１５，１５と、側面部１５、１５の間に形成された前面部１６からなる。前面部１６には、コイン通路１２と連通する半円状の凹部１７が形成されている。溝１３は、コイン通路１２にコイン、その他の物が詰まった時に、その詰まった物の取り出しを容易にしている。
基部３の背面８は、略円形に形成され、半円状の上背面部８ａと半円状の下背面部８ｂとからなる。なお、下背面部８ｂは、上背面部８ａよりも正面６寄りに形成されている。下背面部８ｂの上部には、前記コイン通路１２の下壁を形成するガイド板２１が形成されている。ガイド板２１の両側には、隙間２２，２３が形成されている。
上背面部８ａの下部には、前記コイン排出口１１の上部と背面８から見た場合の左部を囲む略Ｌ字状の係止部材２５が形成されている。係止部材２５は、前記ガイド板２１と略平行な第１の係止片２６と、第１の係止片２６の他方（Ｙ方向）に略直角に設けられた第２の係止片２７とからなる。第２の係止片２７は、第１の係止片２６より短く形成されている。
下背面部８ｂのコイン排出口１１の両側方の下辺近傍には、コイン排出口１１の下辺と略平行に一対の略コ字上の軸受け部４３，４４が形成されており、当該軸受け部４３，４４にはシャッター部材３０が回動可能に支持されている。シャッター部材３０は、コイン排出口１１を開閉するようにコイン排出口１１に対して略平行に設けられた開閉板３１と、開閉板３１の左右両側に設けられたアーム部材３２，３３とからなる。アーム部材３２は、後端が開閉板３１に対して略直角に取り付けられ、先端に支軸３６が設けられ、上部にアーム部材３２の先端から後端に向けて上昇傾斜した係合板３７が形成されている。支軸３６にはシャッター部材３０をコイン排出口１１を閉じる方向に付勢するバネ５２が取り付けられている。また、アーム部材３２には、バネ５２の一端５３を係止する係止孔３９が形成されている。アーム部材３３も、後端が開閉板３１に対して略直角に設けられ、先部に支軸３５が設けられ、上部に円柱形状の解除突起（解除手段）４０が形成されている。
支軸３５、３６が前記一対の軸受け部４３，４４に回動可能に軸受けされることにより、シャッター部材３０は下背面部８ｂに対して回動可能とされている。また、下背面部８ｂには下部が下背面部８ｂと同様に湾曲した形状の取付部材５０がネジ５１によって着脱
可能に固定されている。取付部材５０の上面両側端には上方に延びる規制片４６、４７が形成されており、当該規制片４６，４７は前記一対の軸受け部４３，４４の略コ字形状の開放されている側を塞いでいる。このことにより、支軸３５，３６は、軸受け部４３，４４から突出しないように、規制片４６，４７によって押さえられる。また、シャッター部材３０は、支軸３５，３６の軸心方向（回動中心線方向）に沿って所定量摺動可能である。
アーム部材３２の支軸３６には、前述の通りバネ部材（弾性部材）５２が巻装され、バネ部材（弾性部材）５２の一端５３が係止孔３９に係止され、バネ部材（弾性部材）５２の他端５５が下背面部８ｂに当接されている。アーム部材３２は、バネ部材（弾性部材）５２の弾性によって上方（開閉板３１がコイン排出口１１を塞ぐ方向）に付勢されている。また、バネ部材（弾性部材）５２は、ガイド板２１とアーム部材３２間に介挿されており、アーム部材３２は、バネ部材（弾性部材）５２の弾性によって、支軸３５，３６の軸心方向（回動中心線方向）の一方向（Ｘ方向）に付勢されている。
シャッター部材３０は、バネ部材（弾性部材）５２によって上方に付勢され、開閉板３１が係止部材２５とガイド板２１に圧接して、コイン排出口１１を閉じている。このとき、アーム部材３２は、アーム部材３２の上面とガイド板２１の上面が略同じ高さになっている。アーム部材３３は、アーム部材３３の上面とガイド板２１の上面が略同じ高さになっており、解除突起４０がコイン通路１２内に突出している。
また、下背面部８ｂには、背面から見て左側に配置された軸受け部４３より中心寄りであって、コイン排出口１１がシャッター部材３０によって塞がれている状態でシャッター部材３０が回動しようとしたときにアーム部材３３の下面と当接可能な位置に、角柱形状の保持突起（保持手段）５６が設けられている。また、保持突起５６、軸受け部４３、４４は略一直線上に並ぶように形成されている。なお、軸受け部３５と保持突起５６の間の隙間２３はアーム部材３３の幅より若干大きく形成されており、また、保持突起５６とアーム部材３３が当接している部分の支軸３５、３６の軸心方向の幅は、シャッター部材３０が支軸３５、３６の軸心方向（回動中心線方向）に摺動可能な所定量よりも小さくなるように形成されていることから、シャッター部材３０が支軸３５、３６の軸心方向（回動中心線方向）の他方向（Ｙ方向）に所定量摺動した状態でシャッター部材３０が回動したときにはアーム部材３３は保持突起５６と当接せず、隙間２３を通じて回動可能となる。さらに、下背面部８ｂには、コイン排出口１１の背面から見て右辺を囲むようにストッパー板４９が設けられている。ストッパー板４９とガイド板２１の右側端との間にはアーム部材３２の幅より若干大きな隙間２２が形成されており、アーム部材３２は当該隙間２２に収容されている。前記したように、シャッター部材３０は、バネ部材（弾性部材）５２によって、支軸３５，３６の軸心方向（回動中心線方向）の一方向（Ｘ方向）に付勢され、ストッパー板４９にアーム部材３２の係合板３７が係合している。シャッター部材３０の係合板３７がストッパー板４９に係合している時、アーム部材３３の下面が下背面部８ｂに形成された保持突起５６に当接していることから、開閉板３１がコイン排出口１１を開く方向にはシャッター部材３０は回動できないようになっている。
環状部５は、基部３の後端外周縁に設けられている。環状部５の外周には、一方が突出した形のフランジ６０が取り付けられている。フランジ６０の所定箇所には、取付アーム６１が形成され、取付アーム６１には取付孔６２が設けられている。
コイン挿入装置１は、上記構成を有し、カプセル払い出し機等の電気を必要としない自動販売機に取り付けられる。コイン挿入装置１は、取付アーム６１の取付孔６２にネジ等を差し込み、このネジを図示しない自動販売機の筐体にねじ込むことによって、自動販売機の所定位置に取り付けられる。なお、自動販売機は、コイン挿入装置１からコインＣが挿入されると、操作レバー可能となり、操作レバーを操作すると、カプセル等の商品を取り出すことができる。
コイン挿入装置１の初期状態は、コイン通路１２のコイン排出口１１がシャッター部材３０によって塞がれている。この初期状態では、バネ部材（弾性部材）５２の弾性により、開閉板３１が上方に付勢され、開閉板３１が係止部材２５とガイド板２１に圧接して、コイン排出口１１を閉じている。また、バネ部材（弾性部材）５２の弾性により、開閉板３１が支軸３５，３６の軸心方向（回動中心線方向）の一方向（Ｘ方向）に付勢され、係合板３７がストッパー板４９に係合しており、シャッター部材３０が回動したとしてもアーム部材３３の下面が下背面部８ｂに形成された保持突起（保持手段）５６に当接するため、開閉板３１がコイン排出口１１を開く方向にはシャッター部材３０は回動できないようになっている。
上記した初期状態においては、コイン排出口１１が開閉板３１によって塞がれているため、ゴミ等の異物や雨等による水分が自動販売機内に入ることを阻止することができる。また、悪戯などによって、板片等により開閉板３１を押し開けようとしても、開閉板３１に連接するアーム部材３３が保持突起（保持手段）５６によって回動不能とされているので、開閉板３１は回動することがなく、そのため、悪戯を未然に防ぎ、コイン挿入装置１及び／又は自動販売機が壊されることがない。
コインＣをコイン挿入口１０から挿入すると、コインＣの外周縁が、コイン通路１２内に突出している解除突起（解除手段）４０に当接する。解除突起（解除手段）４０が、コインＣの外周縁に沿ってコイン通路１２に対して側方へ押圧されることにより、シャッター部材３０は、バネ部材（弾性部材）５２の弾性に抗して、支軸３５，３６の軸心方向（回動中心線方向）の他方向（Ｙ方向）に所定量移動し、アーム部材３３が保持突起（保持手段）５６から外れ隙間２３を通じて回動可能となるため、シャッター部材３０とともに開閉板３１もコイン排出口１１を開く方向に回動可能となる。コインＣは、解除突起（解除手段）４０に当接後、回動自在となっている開閉板３１に当接して、バネ部材５２の弾性に抗して開閉板３１を押し開いてコイン排出口１１を開放し、コイン排出口１１から自動販売機のコインセレクター等に入ることができる。
コインＣがコイン排出口１１から排出されると、開閉板３１は、バネ部材（弾性部材）５２の弾性により上方に回動して係止部材２５とガイド板２１に圧接し、コイン排出口１１を閉じる。また、シャッター部材３０は、バネ部材（弾性部材）５２の弾性により、支軸３５，３６の軸心方向（回動中心線方向）の一方向（Ｘ方向）に移動し、係合板３７がストッパー板４９に係合し、アーム部材３３が保持突起（保持手段）５６によって回動不能とされ、開閉板３１がコイン排出口１１を開く方向には回動できないようになる。このように、コイン挿入装置１は、コインＣが挿入されると、直ちに初期状態に復帰することになる。
コイン挿入装置１は、上記したように、板切れ等の挿入による悪戯防止に役立つが、径の小さいコインの場合、解除突起（解除手段４０）に当接しないので、シャッター部材３０を回動させることができず、そのためコインセレクターとしての機能も発揮する。
【発明の効果】
以上説明してきたように、本願発明に係るコイン挿入装置は、コイン排出口がシャッター部材によって閉じられているため、コイン挿入口からゴミ水分等が入るのを防ぎ、自動販売機の内部が汚れたり、腐食するのを防ぐことができるという効果がある。また、シャッター部材がコイン排出口を閉じた状態で保持手段に保持されているため、シャッター部材をコイン以外の棒等で押してもコイン排出口を開くことがなく、薄い板によってシャッター部材が押し開けられるという悪戯がされることがないという効果がある。コインをコイン挿入口から挿入すると、コインがシャッター部材の解除手段に当接して、保持手段によるシャッター部材の保持が解除されるので、シャッター部材は開閉自在となり、コインによりシャッター部材が押し開けられて、コイン排出口が開放され、コイン排出口からコインを排出することができるという効果がある。
このように本願発明に係るコイン挿入装置は、構造が簡単で安価に製造することができ、シャッター部材の開閉が電気的駆動手段によらないので、カプセル払い出し機等の電気を使用しない自動販売機に取り付けることができるという効果がある。
【符号の説明】
Ｃ・・コイン、１・・コイン挿入装置、２・・装置本体、３・・基部、５・・環状部、６・・正面、７・・凹部、８・・背面、８ａ・・上背面部、８ｂ・・下背面部、９・・周面、１０・・コイン挿入口、１１・・コイン排出口、１２・・コイン通路、１３・・溝、１５・・側面部、１６・・前面部、１７・・凹部、２１・・ガイド板、２２・・隙間、２３・・隙間、２５・・係止部材、２６・・第１の係止片、２７・・第２の係止片、３０・・シャッター部材、３１・・開閉板、３２・・アーム部材、３３・・アーム部材、３５・・支軸、３６・・支軸、３７・・係合板、３９・・係止孔、４０・・解除突起（解除手段）、４３・・軸受け部、４４・・軸受け部、４６・・規制片、４７・・規制片、４９・・ストッパー板、５０・・取付部材、５１・・ネジ、５２・・バネ部材（弾性部材）、５３・・一端、５５・・他端、５６・・保持突起（保持手段）、６０・・フランジ、６１・・取付アーム、６２・・取付孔
【産業上の利用可能性】
本願発明は、店の前に置かれるカプセル払い出し機の如き、電気を使用しない自動販売機のコイン挿入口に利用可能である。
【図１】
0004427511.tif 000002
【図２】
0004427511.tif 000003
【図３】
0004427511.tif 000004
【図４】
0004427511.tif 000005
【図５】
0004427511.tif 000006
【図６】
0004427511.tif 000007
【図７】
0004427511.tif 000008
【図８】
0004427511.tif 000009